(57)【要約】【課題】集水トレイを温蔵庫の内部に配置して外部から露出されないようにし、加熱対象物の加熱時に発生する水分が集水トレイに集水されるようにする温蔵庫を提供すること。【解決手段】加熱対象物が安置される加熱空間を備えた本体と；前記加熱空間の下側方向から前記本体の内部に収納可能に設けられ、加熱対象物の加熱時に発生する水分が集水される集水トレイと；前記本体の一側に回動可能に結合され、開放された前記加熱空間を選択的に閉鎖すると同時に前記集水トレイを収容し、前記加熱空間と向かい合う一面に前記加熱対象物の加熱時に発生する水分が前記集水トレイにガイドされるようにするガイド部が形成された前面ドアと；を備える。【選択図】図２
2016214836.tif 000002
【特許請求の範囲】
【請求項１】
加熱対象物Ｔが安置される加熱空間１３を備えた本体１０と；
前記加熱空間１３の下側方向から前記本体１０の内部に収納可能に設けられ、加熱対象物Ｔの加熱時に発生する水分が集水される集水トレイ４０と；
前記本体１０の一側に回動可能に結合され、開放された前記加熱空間１３を選択的に閉鎖すると同時に前記集水トレイ４０を収容し、前記加熱空間１３と向かい合う一面に前記加熱対象物Ｔの加熱時に発生する水分が前記集水トレイ４０にガイドされるようにするガイド部５０が形成された前面ドア９０と；を備え、
前記集水トレイ４０は、前記本体１０に挿入されるとき、一部が前記本体１０から露出するように挿入され、
前記本体１０には、集水トレイ４０が前記本体１０の内側に収容され得るように内側に向かう所定の深さを有する収納溝１５が形成され、
前記収納溝１５と対応する前記前面ドア９０の一面には、前記本体１０から露出された前記集水トレイ４０の一部が収容される収容溝６０が形成されている
ことを特徴とする温蔵庫。
【請求項２】
前記集水トレイ４０は、
内部に水分が集水される空間が備えられた所定の長さを有する集水容器４１と；
前記集水容器４１の開放された上部を閉鎖する上部カバー４３と；
前記本体１０から露出された前記上部カバー４３の長手方向の中心に前記上部カバー４３を貫通した状態で形成され、前記前面ドア９０の前記ガイド部５０を通してガイドされた水分が流入する水分流入孔４５と；を備える
請求項１に記載の温蔵庫。
【請求項３】
前記水分流入孔４５が前記上部カバー４３の表面より下に形成されるように、前記本体１０から露出される前記上部カバー４３の部位には、陥没した状態で前記上部カバー４３の長手方向の両側からそれぞれ中心に向かうほど漸進的に下側に向かう傾斜溝４７の長手方向の中心に前記水分流入孔４５を形成している
請求項２に記載の温蔵庫。
【請求項４】
前記前面ドア９０の前記ガイド部５０は、前記加熱空間１３と向かい合う一面に所定の深さに陥没した陥没面５３と、前記前面ドア９０が前記加熱空間１３を閉鎖した状態で前記加熱対象物Ｔの加熱時に前記陥没面５３に生成された水分が前記集水トレイ４０に案内されるように前記陥没面５３の下側両端から前記集水トレイ４０の方向に所定の角度で形成された傾斜端５７と、前記傾斜端５７の端部に形成され、案内された水分が前記集水トレイ４０に向かうように前記陥没面５３と連結された水分集水路５９とを備える
請求項３に記載の温蔵庫。
【発明の詳細な説明】
【技術分野】
【０００１】
本発明は、温蔵庫に関し、詳細には、水分が集水される集水トレイを温蔵庫の内部に配置して外部から露出されないようにし、加熱対象物の加熱時に発生する水分が集水トレイに集水されるようにし、集水トレイの上部が閉鎖されるようにして温蔵庫から分離または移動の間に貯水された水の溢れが防止されるようにする温蔵庫に関する。
【背景技術】
【０００２】
一般に、理美容室、ネイルサロン、スキンケアサロン、マッサージサロン、食堂及び物理治療院等では、常に設定温度に温められた蒸しタオルを使用するために、内部にヒーティング装置が設けられた温蔵庫を用いる。
このような温蔵庫は、内部に安置された加熱対象物（例えば、濡れたタオルまたは飲料）をヒーティング装置を通して設定された温度に加熱し、長時間保管する用途で用いられるものであって、内部には、所定の大きさの空間で形成されて内容物を加熱する加熱空間が形成され、前記の加熱空間には、加熱対象を保管できるように多層棚が備えられてもよい。
前記のような温蔵庫に蒸しタオルを貯蔵しようとする場合、水に濡れたタオルを加熱空間に安置させた状態でヒーティング装置を駆動し、設定温度に加熱することにより、常に用意された高温の蒸しタオルを使用することができるようにする。
【０００３】
特許文献１には、温蔵庫の前面出入部に設けられた垂直型敷居の前側に突出縁を持つチルト式ドアを設けて出入部のガスケットに密着閉鎖が容易であるようにしたものにおいて、前記敷居の前側に設けた補強部材の外面に敷居受け具を被せて前方に突出するように設け、加熱室の内部のスチーム圧力と、ドアの内面に流れ落ちる水分の排出のためにドアの内面下側に気水排出手段を備えた蒸しタオル保管用温蔵庫が開示されている。
【０００４】
しかし、前記の蒸しタオル保管用温蔵庫は、退水孔を通して落下する水分が集水されるように温蔵庫の底面に集水筒を備えた構造をなしているため、集水筒の分離時、内部の水が溢れ出す問題がある。
即ち、前記集水筒が、上部が開放された構造を有せざるを得ず、集水筒を温蔵庫から分離するとき、内部のうねる水を制御することができないためである。
加えて、分離された集水筒を把持した状態で移動するとき、うねりにより水が溢れるため、周辺を汚染させる問題がある。
また、水分を排水するために、スチーム放出孔、小型排水口、垂直空間及び退水孔を相互連通するように形成したことにより温蔵庫の内部が外部と連通した状態をなすため、温蔵庫の内部圧力の形成に影響を及ぼす問題がある。
即ち、温蔵庫の排水構造が、水分を外部の集水筒に排水するための構造をなすためである。
【先行技術文献】
【特許文献】
【０００５】
【特許文献１】韓国公開特許公報第１０−２０１２−００１９８２０号（公開日：２０１２．０３．０７）
【特許文献２】韓国登録実用新案公報第２０−０４４４６２４号（登録日：２００９．０５．１９）
【発明の概要】
【発明が解決しようとする課題】
【０００６】
本発明は、前記のような問題点及び技術的偏見を解消するために案出されたものであって、水分が集水される集水トレイを温蔵庫の内部に配置して外部から露出されないようにし、加熱対象物の加熱時に発生する水分が集水トレイに集水されるようにし、集水トレイの上部が閉鎖されるようにして温蔵庫から分離または移動の間に貯水された水の溢れが防止されるようにする温蔵庫を提供することにその目的がある。
【課題を解決するための手段】
【０００７】
前記の目的を達成するための本発明の温蔵庫は、加熱対象物が安置される加熱空間を備えた本体；前記加熱空間の下側方向から前記本体の内部に収納可能に設けられ、加熱対象物の加熱時に発生する水分が集水される集水トレイ；及び前記本体の一側に回動可能に結合され、開放された前記加熱空間を選択的に閉鎖すると同時に前記集水トレイを収容し、前記加熱空間と向かい合う一面に前記加熱対象物の加熱時に発生する水分が前記集水トレイにガイドされるようにするガイド部が形成された前面ドア；を含んで構成される。
【０００８】
このとき、前記集水トレイは、前記本体に挿入されるとき、一部が前記本体から露出するように挿入され、前記本体には、集水トレイが前記本体の内側に収容され得るように内側に向かう所定の深さを有する収納溝が形成され、前記収納溝と対応する前記前面ドアの一面には、前記本体から露出された前記集水トレイの一部が収容される収容溝が形成されていることが好ましい。
【０００９】
また、前記集水トレイは、内部に水分が集水される空間が備えられた所定の長さを有する集水容器；前記集水容器の開放された上部を閉鎖する上部カバー；及び前記本体から露出された前記上部カバーの長手方向の中心に前記上部カバーを貫通した状態で形成され、前記前面ドアの前記ガイド部を通してガイドされた水分が流入する水分流入孔；で構成されていることが好ましい。
【００１０】
このとき、前記水分流入孔が前記上部カバーの表面より下に形成されるように、前記本体から露出される前記上部カバーの部位には、陥没した状態で前記上部カバーの長手方向の両側からそれぞれ中心に向かうほど漸進的に下側に向かう傾斜溝の長手方向の中心に前記水分流入孔を形成していることが好ましい。
【００１１】
そして、前記前面ドアの前記ガイド部は、前記加熱空間と向かい合う一面に所定の深さに陥没した陥没面と、前記前面ドアが前記加熱空間を閉鎖した状態で前記加熱対象物の加熱時に前記陥没面に生成された水分が前記集水トレイに案内されるように前記陥没面の下側両端から前記集水トレイの方向に所定の角度で形成された傾斜端と、前記傾斜端の端部に形成され、案内された水分が前記集水トレイに向かうように前記陥没面と連結された水分集水路とを含んで構成されていることが好ましい。
【発明の効果】
【００１２】
前記のような構成を有する本発明の温蔵庫によると、水分が集水される集水トレイを温蔵庫の内部に配置して外部から露出されないようにして前面構造を改善し、加熱対象物の加熱時に発生する水分が集水トレイに集水されるようにすることで温蔵庫の内部が閉鎖された状態をなすようにし、集水トレイの上部が閉鎖された状態をなすようにすることで集水トレイを温蔵庫から分離時または移動の間に内部に貯水された水の溢れが防止されるようにする長所がある。
【図面の簡単な説明】
【００１３】
【図１】本発明に係る温蔵庫を示した斜視図
【図２】温蔵庫の前面ドアが開いた状態を示した斜視図
【図３】図１の要部断面図
【図４】本発明に係る温蔵庫の構成のうち集水トレイを示した分解斜視図
【図５】集水トレイが温蔵庫から分離された状態を示した斜視図
【発明を実施するための形態】
【００１４】
図１は、本発明に係る温蔵庫を示した斜視図、図２は、温蔵庫の前面ドアが開いた状態を示した斜視図、図３は、図１の要部断面図、図４は、本発明に係る温蔵庫の構成のうち集水トレイを示した分解斜視図、図５は、集水トレイが温蔵庫から分離された状態を示した斜視図である。
【００１５】
図１乃至図５に示したように、本発明の温蔵庫１００は、加熱対象物Ｔが安置される加熱空間１３を備えた本体１０；前記加熱空間１３の下側方向から前記本体１０の内部に収納可能に設けられ、加熱対象物Ｔの加熱時に発生する水分が集水される集水トレイ４０；及び前記本体１０の一側に回動可能に結合され、開放された前記加熱空間１３を選択的に閉鎖すると同時に前記集水トレイ４０を収容し、前記加熱空間１３と向かい合う一面に前記加熱対象物Ｔの加熱時に発生する水分が前記集水トレイ４０にガイドされるようにするガイド部５０が形成された前面ドア９０；で構成されている。
【００１６】
図１乃至図５を参照して説明すると、次のとおりである。
本発明の温蔵庫１００は、大きく、本体１０と集水トレイ４０と前面ドア９０とで構成されている。
本体１０は、略矩形状をなしており、内側には、加熱対象物Ｔ（タオルまたは飲料）が安置され得るように所定の深さと空間を有する加熱空間１３が備えられている。
加熱空間１３の内部には、加熱対象物Ｔ（以下「タオルＴ」という）が多段で安置され得るように複数個の棚（図示しない）が備えられてもよい。
一方、本体１０と加熱空間１３との間には、図示しないヒーティング装置が備えられ、前記ヒーティング装置の駆動により加熱空間１３が設定された温度に加熱される。このとき、ヒーティング装置は、電源供給により駆動されることはもちろんである。
【００１７】
集水トレイ４０は、図２及び図３のように、本体１０の下側、即ち、加熱空間１３が形成された加熱空間１３の下側方向から本体１０の内側に収納可能に設けられ、加熱対象物Ｔの加熱時に発生する水分が集水されるようにする。
正確には、集水トレイ４０が引き出しのように本体１０の内側に収納される構造で設けられ、本体１０に挿入された状態で加熱空間１３に安置された濡れたタオルＴの加熱時に発生する水分を集水するのである。
このとき、集水トレイ４０は、本体１０に挿入されるとき、一部が本体１０から露出するように挿入される。即ち、図２及び図３に示されたように、集水トレイ４０の一部が、加熱空間１３が開放された本体１０の前面側である図面上の右側方向に露出されるのである。
これは、図３のように、後述する前面ドア９０のガイド部５０により誘導される水分が集水トレイ４０の一部露出された部位を通して集水されるようにするためである。
【００１８】
一方、本体１０には、集水トレイ４０が本体１０の内側に収容され得るように内側に向かう所定の深さを有する収納溝１５が形成され、収納溝１５と対応する後述する前面ドア９０の一面には、本体１０から露出された集水トレイ４０の一部が収容される収容溝６０が形成される。
ここで、収納溝１５と収容溝６０は、互いに対応する長さに形成され、その長さは、集水トレイ４０の長さと最小限同一または大きくてよい。
【００１９】
加えて、収容溝６０は、図２及び図５に示されたように、前面ドア９０が開いた状態であるとき、集水トレイ４０の引き出しのための空間が確保されるようにすることで引き出しの容易性を保障することとなる。
集水トレイ４０は、図４のように、内部に水分が集水される空間が備えられた状態で所定の長さを有する集水容器４１と、集水容器４１の開放された上部を閉鎖する板状の上部カバー４３と、本体１０から露出された上部カバー４３の長手方向の中心に上部カバー４３を貫通した状態で形成され、後述する前面ドア９０のガイド部５０を通してガイドされた水分が流入する水分流入孔４５とで構成されている。
【００２０】
このとき、水分流入孔４５が上部カバー４３の表面より下に形成されるように、本体１０から露出される上部カバー４３の部位には、陥没した状態で上部カバー４３の長手方向の両側からそれぞれ中心に向かうほど漸進的に下側に向かう傾斜溝４７の長手方向の中心に水分流入孔４５を形成することが好ましい。
水分流入孔４５を傾斜溝４７の中心に形成する理由は、本体１０から一部が露出された集水トレイ４０に落ちた水分が傾斜溝４７に沿って水分流入孔４５に誘導されるようにするためである。
また、傾斜溝４７は、集水トレイ４０を本体１０から分離するとき、引き出しのための把持の容易性を保障する。
そして、上部カバー４３は、集水容器４１の開放された上部を閉鎖するため、集水トレイ４０を温蔵庫から分離するとき、または内部の水を捨てるために移動するとき、内部に集水された水が溢れることを防止するようになる。
【００２１】
前面ドア９０は、本体１０の一側に軸結合により回動可能に結合され、開放された加熱空間１３を選択的に閉鎖すると同時に本体１０から一部が露出された集水トレイ４０を収容し、加熱空間１３と向かい合う一面には、加熱対象物Ｔの加熱時に発生する水分が集水トレイ４０にガイドされるようにするガイド部５０が形成された構造をなしている。
前面ドア９０のガイド部５０は、加熱空間１３と向かい合う一面に所定の深さに陥没した陥没面５３と、前面ドア９０が加熱空間１３を閉鎖した状態で加熱対象物Ｔの加熱時に陥没面５３に生成された水分が集水トレイ４０に案内されるように陥没面５３の下側両端から集水トレイ４０の方向に所定の角度で形成された傾斜端５７と、傾斜端５７の端部に形成され、案内された水分が集水トレイ４０に向かうように陥没面５３と連結された水分集水路５９とで構成されている。
このとき、陥没面５３をなす表面は、水分が付いた状態で水分が重力方向に流れ落ちることができるように滑らかな面からなることはもちろんである。
【００２２】
加えて、水分集水路５９は、図３のように、前面ドア９０が閉じた状態で集水トレイ４０の水分流入孔４５の上部に位置することによって、陥没面５３と傾斜端５７により案内される水分が水分流入孔４５に落下するようにする。
本実施例においては、ガイド部５０の構造を通して集水トレイ４０に水分が集水されるものと説明したが、前面ドア９０に複数個の流路を形成して水分を集水することもできるため、必ずしも構造を限定するものではない。
【００２３】
一方、加熱空間１３と向かい合う前面ドア９０の一面には、陥没面５３を囲んだ状態で一面から突出するように形成されたガスケット７０が備えられており、本体１０には、開放された加熱空間１３を囲んだ状態で前記ガスケット７０と接触する突出した密着突起１７が形成されることが好ましい。
前記のガスケット７０と密着突起１７は、前面ドア９０が閉じるとき、相互密着した構造をなすようにすることで、加熱空間１３が外部から完全に閉鎖されるようにし、このとき、ガスケット７０は、弾性を持つ合成樹脂材質であってもよい。
また、前面ドア９０の上側外周面には、前面ドア９０の開閉のための把持部８０が形成され、把持部８０が形成された位置は限定しない。
【００２４】
以下、本発明に係る温蔵庫１００の駆動時、水分が集水トレイ４０に集水される過程を添付の図面を参照して説明すると、次のとおりである。
先ず、前面ドア９０を開いて加熱空間１３の内部に濡れたタオルＴを安置させ、前面ドア９０を閉じて電源を印加し、温蔵庫１００に設けられたヒーティング装置を駆動する。
このとき、温蔵庫１００の加熱温度は、別途の操作部（図示しない）を通して設定される。
ヒーティング装置の駆動により加熱空間１３の温度は徐々に上昇し、この過程で濡れたタオルＴで水分（水蒸気）が発生することとなる。
【００２５】
発生した水分は、前面ドア９０の陥没面５３の表面全体に付いて水滴に形成され、このように形成された水滴は、陥没面５３の表面に沿って重力方向に流れ落ちるようになる。
このとき、流れ落ちる水滴は、陥没面５３の両側に形成された傾斜端５７の案内を受けて水分集水路５９に向かうようになる。
このように水分集水路５９に向かった水滴は、図３に示された矢印のように、上部カバー４３に形成された水分流入孔４５に落下して集水容器４１の内部に集水される。
即ち、陥没面５３の表面全体に付いた全ての水滴が傾斜端５７の案内と水分集水路５９を通って集水トレイ４０の内部に落下するのである。
【００２６】
以後、温蔵庫の長時間使用によって集水トレイ４０に水分が溜まると、図５に示された一点鎖線の方向に沿って使用者が上部カバー４３の傾斜溝４７を把持した状態で集水トレイ４０を前面ドア９０の収容溝６０に引き出し、この状態で集水トレイ４０を持ち上げて温蔵庫１００から分離し、内部の水を捨てればよい。
このとき、集水容器４１が上部カバー４３によって閉鎖された状態であることにより、水を捨てるための集水トレイ４０の移動時に水が溢れることが防止される。
集水トレイ４０を温蔵庫１００に結合する過程は、引き出し過程の逆順に進行すればよい。
【００２７】
これまで述べられたように、本発明の温蔵庫は、水分が集水される集水トレイを温蔵庫の内部に配置し、外部から露出されないようにして前面構造を改善し、加熱対象物の加熱時に発生する水分が集水トレイに集水されるようにすることで温蔵庫の内部が閉鎖された状態をなすようにし、集水トレイの上部が閉鎖された状態をなすようにすることで集水トレイを温蔵庫から分離時または移動の間に内部に貯水された水の溢れが防止されるようにする長所がある。
【符号の説明】
【００２８】
１０  本体
１３  加熱空間
１５  収納溝
１７  密着突起
４０  集水トレイ
４１  集水容器
４３  上部カバー
４５  水分流入孔
４７  傾斜溝
５０  ガイド部
５３  陥没面
５７  傾斜端
５９  水分集水路
６０  収容溝
７０  ガスケット
８０  把持部
９０  前面ドア
１００  温蔵庫
Ｔ  加熱対象物（タオル）
【図１】
2016214836.tif 000003
【図２】
2016214836.tif 000004
【図３】
2016214836.tif 000005
【図４】
2016214836.tif 000006
【図５】
2016214836.tif 000007